(57)【要約】【課題】拡散配光制御を精度良く行い得る車両用灯具を提供すること。【解決手段】この車両用灯具１は、半導体発光素子から成る光源２と、この光源２からの光を拡散あるいは拡幅して灯具前方に照射するレンズ３とを有する。この車両用灯具では、レンズ３からの射出光とレンズ３の光軸Ｚとのなす角を射出角θと呼ぶときに、レンズ３の射出面３２の少なくとも一部が所定の自由曲面から成り、且つ、この自由曲面では、射出光の射出角θがレンズ３の中心部から端部に向かうに連れてｎ次連続的に変化する。【選択図】        図４
2008226558.tif 000002
【特許請求の範囲】
【請求項１】
半導体発光素子から成る光源と、前記光源からの光を拡散あるいは拡幅して灯具前方に照射するレンズとを有する車両用灯具であって、
前記レンズからの射出光と前記レンズの光軸とのなす角を射出角θと呼ぶときに、
前記レンズの射出面の少なくとも一部が所定の自由曲面から成り、且つ、前記自由曲面では、射出光の射出角θが前記レンズの中心部から端部に向かうに連れてｎ次連続的に変化することを特徴とする車両用灯具。
【請求項２】
前記自由曲面では、射出光の射出角θが前記レンズの中心部から水平方向の端部に向かうに連れてｎ次連続的に増加する請求項１に記載の車両用灯具。
【請求項３】
前記自由曲面では、射出光の射出角θが前記レンズの中心部から鉛直方向の端部に向かうに連れてｎ次連続的に増加する請求項１または２に記載の車両用灯具。
【請求項４】
ヘッドランプのハイビーム用配光パターンにて、鉛直方向への光度減衰の拡散配光角が水平方向への光度減衰の拡散配光角よりも小さい請求項１〜３のいずれか一つに記載の車両用灯具。
【請求項５】
前記自由曲面が、前記レンズの中心部を原点として回転方向および放射方向にパラメトリックに変化する曲面により構成される請求項１〜４のいずれか一つに記載の車両用灯具。
【請求項６】
前記レンズの入射面が平面または単一径の球面から成る凸面あるいは凹面により構成される請求項１〜５のいずれか一つに記載の車両用灯具。
【発明の詳細な説明】
【技術分野】
【０００１】
この発明は、車両用灯具に関し、さらに詳しくは、拡散配光制御を精度良く行い得る車両用灯具に関する。
【背景技術】
【０００２】
例えば、ヘッドランプ、フォグランプ、コーナリングランプなどの車両用灯具では、水平方向あるいは鉛直方向に対して滑らかに光度を減衰させる拡散配光制御が採用されている。また、かかる拡散配光制御は、コンパクトかつ簡易な構成にて、精度良く行われることが好ましい。
【０００３】
かかる課題に関する従来の車両用灯具には、特許文献１に記載される技術が知られている。従来の車両用灯具（灯具ユニット）では、上端部に所定のカットオフラインを有する配光パターンを形成するように構成された車両用前照灯において、上記カットオフラインを形成するために用いられる灯具ユニットであって、車両前後方向に延びる光軸上に配置された投影レンズと、下端縁が直線状に形成された発光チップを有するとともに、上記投影レンズの後方において該発光チップの下端縁を上記光軸上に位置させるようにして前向きに配置された半導体発光素子とを備え、上記発光チップの下端縁の反転投影像として上記カットオフラインの少なくとも一部を形成するように構成されてなり、上記投影レンズが、上記発光チップの下端縁と直交する断面内においては該発光チップの下端縁における上記光軸上の点からの光を平行光として出射させる一方、上記発光チップの下端縁と平行な断面内においては該発光チップの下端縁における上記光軸上の点からの光を拡散光として出射させるように構成されている、ことを特徴とする。
【０００４】
【特許文献１】特開２００５−１０８５５５号公報
【発明の開示】
【発明が解決しようとする課題】
【０００５】
この発明は、拡散配光制御を精度良く行い得る車両用灯具を提供することを目的とする。
【課題を解決するための手段】
【０００６】
上記目的を達成するため、この発明にかかる車両用灯具では、半導体発光素子から成る光源と、前記光源からの光を拡散あるいは拡幅して灯具前方に照射するレンズとを有する車両用灯具であって、前記レンズからの射出光と前記レンズの光軸とのなす角を射出角θと呼ぶときに、前記レンズの射出面の少なくとも一部が所定の自由曲面から成り、且つ、前記自由曲面では、射出光の射出角θが前記レンズの中心部から端部に向かうに連れてｎ次連続的に変化することを特徴とする。
【０００７】
この車両用灯具では、射出光の射出角θがレンズの中心部から端部に向かうに連れてｎ次連続的に変化するので、照射範囲の略中央部（Ｈ−Ｖ点付近）から端部に向かうに連れて照射光の光度が滑らかに変化する（拡散配光パターン）。また、射出面が自由曲面から成るので、射出角θをｎ次連続的に変化させる設定が容易である。すなわち、自由曲面にて射出角θを詳細に設定できるので、照射光の光度分布の精度が向上する。これにより、灯具の拡散配光制御を精度良く行い得る利点がある。
【０００８】
また、この発明にかかる車両用灯具では、前記自由曲面では、射出光の射出角θが前記レンズの中心部から水平方向の端部に向かうに連れてｎ次連続的に増加する。
【０００９】
この車両用灯具では、照射範囲の略中央部（Ｈ−Ｖ点付近）から水平方向外側（Ｈ軸方向）に向かうに連れて照射光の光度が滑らかに減衰する。また、射出面の自由曲面にて射出光の射出角θをｎ次連続的に変化させることにより、照射光の光度分布を高精度に設定できる。これにより、水平方向への拡散配光制御を精度良く行い得る利点がある。
【００１０】
また、この発明にかかる車両用灯具では、前記自由曲面では、射出光の射出角θが前記レンズの中心部から鉛直方向の端部に向かうに連れてｎ次連続的に増加する。
【００１１】
この車両用灯具では、照射範囲の略中央部（Ｈ−Ｖ点付近）から鉛直方向（Ｖ軸方向）に向かうに連れて照射光の光度が滑らかに減衰する。また、射出面の自由曲面にて射出光の射出角θをｎ次連続的に変化させることにより、照射光の光度分布を高精度に設定できる。これにより、鉛直方向への拡散配光制御を精度良く行い得る利点がある。
【００１２】
また、この発明にかかる車両用灯具では、ヘッドランプのハイビーム用配光パターンにて、鉛直方向への光度減衰の拡散配光角が水平方向への光度減衰の拡散配光角よりも小さい。
【００１３】
この車両用灯具では、鉛直方向上側への拡散配光範囲が水平方向への拡散配光範囲よりも幅狭に設定されており、照射光の光度減衰が急になっている。かかる構成では、照射範囲の略中央部（Ｈ−Ｖ点付近）に最大光度域が形成され、且つ、ロービーム用配光パターンとの合成に適したハイビーム用配光パターンが得られる利点がある。
【００１４】
また、この発明にかかる車両用灯具では、前記自由曲面が、前記レンズの中心部を原点として回転方向および放射方向にパラメトリックに変化する曲面により構成される。
【００１５】
この車両用灯具では、車両用灯具に適した配光パターンの設計が容易となり、また、その設計自由度が拡大される利点がある。
【００１６】
また、この発明にかかる車両用灯具では、前記レンズの入射面が平面または単一径の球面から成る凸面あるいは凹面により構成される。
【００１７】
この車両用灯具では、単純形状を有する入射面を基準として射出面（自由曲面）が設計されるので、射出面の設計が容易となる利点がある。
【発明の効果】
【００１８】
この発明にかかる車両用灯具では、射出光の射出角θがレンズの中心部から端部に向かうに連れてｎ次連続的に変化するので、照射範囲の略中央部（Ｈ−Ｖ点付近）から端部に向かうに連れて照射光の光度が滑らかに変化する（拡散配光パターン）。また、射出面が自由曲面から成るので、射出角θをｎ次連続的に変化させる設定が容易である。すなわち、自由曲面にて射出角θを詳細に設定できるので、照射光の光度分布の精度が向上する。これにより、灯具の拡散配光制御を精度良く行い得る利点がある。
【発明を実施するための最良の形態】
【００１９】
以下、この発明につき図面を参照しつつ詳細に説明する。なお、この実施例によりこの発明が限定されるものではない。また、この実施例の構成要素には、当業者が置換可能かつ容易なもの、或いは実質的同一のものが含まれる。また、この実施例に記載された複数の変形例は、当業者自明の範囲内にて任意に組み合わせが可能である。
【実施例】
【００２０】
図１〜図３は、この発明の実施例にかかる車両用灯具を示す斜視図（図１）、平面図（図２）および側面図（図３）である。図４〜図６は、図１に記載した車両用灯具の作用を示す説明図である。図７〜図１８は、図１に記載した車両用灯具のレンズの設計方法を示す説明図である。
【００２１】
［車両用灯具］
この車両用灯具１は、例えば、ヘッドランプ、フォグランプ、コーナリングランプなどに適用され、光源２と、レンズ３とを含んで構成される（図１〜図３参照）。光源２は、半導体発光素子から成る。この光源２は、例えば、配列された複数のＬＥＤ（light emitting diode）により構成され、略半球状に光を放射する。また、光源２は、レンズ３の擬似バックフォーカス点Ｆに配置される。レンズ３は、光源２からの光を拡散あるいは拡幅して灯具前方に照射する。このレンズ３は、入射面３１および射出面３２を有する。なお、レンズ３は、例えば、ＰＭＭＡ（Polymethylmethacrylate）などの樹脂製あるいはガラス製の凸レンズをベースとして構成される。
【００２２】
この車両用灯具１では、光源２が発光すると、その放射光がレンズ３の入射面３１から入射してレンズ３の射出面３２から灯具前方に照射される。そして、この照射光により所定の配光パターンが形成される（図６参照）。
【００２３】
［灯具の拡散配光制御］
ここで、レンズ３の擬似バックフォーカス点Ｆと入射面３１の基準点Ｏとを通る直線を光軸とし、この光軸をＺ軸としてＸ−Ｙ−Ｚ直交座標系をとる（図１〜図３参照）。また、灯具の設置状態にて鉛直方向上側をＹ軸とし、水平方向をＸ軸とする。また、レンズ３からの射出光と光軸Ｚとのなす角を射出角θと呼ぶ（図４および図５参照）。
【００２４】
このとき、レンズ３の射出面３２の少なくとも一部が自由曲面から成り、且つ、この自由曲面にて、射出光の射出角θがレンズ３の中心部（光軸Ｚ）から端部に向かうに連れてｎ次連続的に変化（増加）するように、レンズ３が構成される（図４および図５参照）。すなわち、射出光がレンズ３の中心部から端部に向かうに連れてレンズ３の径方向外側に滑らかに（ｎ次連続的に）傾斜するように、射出面３２の自由曲面が形成される。なお、かかる自由曲面は、所定の制御光を形成するための数式（例えば、ＮＵＲＢＳ曲面）により規定される。
【００２５】
この車両用灯具１では、射出光の射出角θがレンズ３の中心部から端部に向かうに連れてｎ次連続的に変化（増加）するので、照射範囲の略中央部（Ｈ−Ｖ点付近）から端部に向かうに連れて照射光の光度が滑らかに変化（減衰）する（拡散配光パターン）（図６参照）。また、射出面３２が自由曲面から成るので、射出角θをｎ次連続的に変化させる設定が容易である。すなわち、自由曲面にて射出角θを詳細に設定できるので、照射光の光度分布の精度が向上する。これにより、灯具の拡散配光制御を精度良く行い得る利点がある。
【００２６】
例えば、レンズが凸レンズ（非球面レンズ）から成る構成では、射出光が光軸に対して平行となるため、上記のような拡散配光パターンの形成が困難である。また、レンズがシリンドリカルレンズから成る構成では、水平方向にて射出光が拡散するものの、鉛直方向では射出光が光軸に対して平行となる。このため、照射範囲全域に渡る拡散配光制御が困難である。
【００２７】
また、上記の構成では、レンズ３単体にて照射光の光度分布を任意に形成できるので、灯具の構成をコンパクト化あるいは簡素化できる利点がある。また、光源２からの光がレンズ３を介して無駄なく活用される利点がある。
【００２８】
［ヘッドランプのハイビーム用配光パターン］
なお、この車両用灯具１では、レンズ３の射出面３２（自由曲面）にて、射出光の射出角θがレンズ３の中心部から水平方向の端部に向かうに連れてｎ次連続的に増加することが好ましい（図４参照）。すなわち、射出光がレンズ３の中心部から水平方向の端部に向かうに連れてレンズ３の径方向外側に滑らかに（ｎ次連続的に）傾斜するように、射出面３２の自由曲面が形成される。
【００２９】
かかる構成では、照射範囲の略中央部（Ｈ−Ｖ点付近）から水平方向外側（Ｈ軸方向）に向かうに連れて照射光の光度が滑らかに減衰する（図６参照）。また、射出面３２の自由曲面にて射出光の射出角θをｎ次連続的に変化させることにより、照射光の光度分布を高精度に設定できる。これにより、水平方向への拡散配光制御を精度良く行い得る利点がある。
【００３０】
例えば、ヘッドランプのハイビーム用配光パターンでは、照射光の光度分布が照射範囲の中央部を最大光度域として水平方向に幅広に拡散するように設定され、且つ、この照射光の光度減衰が射出面３２の自由曲面によって滑らかに設定される（図６参照）。これにより、ハイビーム時にて、歩道や対向車線が適正に照らされ、また、滑らかな光度減衰により水平方向に対する照射範囲の視認性が向上する。
【００３１】
また、この車両用灯具１では、レンズ３の射出面３２（自由曲面）にて、射出光の射出角θがレンズ３の中心部から鉛直方向の端部に向かうに連れてｎ次連続的に増加することが好ましい（図５参照）。すなわち、射出光がレンズ３の中心部から鉛直方向の端部に向かうに連れてレンズ３の径方向外側に滑らかに（ｎ次連続的に）傾斜するように、射出面３２の自由曲面が形成される。
【００３２】
かかる構成では、照射範囲の略中央部（Ｈ−Ｖ点付近）から鉛直方向（Ｖ軸方向）に向かうに連れて照射光の光度が滑らかに減衰する（図６参照）。また、射出面３２の自由曲面にて射出光の射出角θをｎ次連続的に変化させることにより、照射光の光度分布を高精度に設定できる。これにより、鉛直方向への拡散配光制御を精度良く行い得る利点がある。
【００３３】
例えば、ヘッドランプのハイビーム用配光パターンでは、照射光の光度分布が照射範囲の中央部を最大光度域として鉛直方向上方（Ｖ軸方向上側）に幅広に拡散するように設定され、且つ、この照射光の光度減衰が射出面３２の自由曲面によって滑らかに設定される（図６参照）。これにより、ハイビーム時にて、上方の道路標示や樹木が適正に照らされ、また、滑らかな光度減衰により鉛直方向上方に対する照射範囲の視認性が向上する。
【００３４】
また、この車両用灯具１では、レンズ３の射出面３２は、射出光の射出角θがレンズ３の光軸Ｚに略平行（θ＝０）に設定される部分（自由曲面を含む）を有しても良い（図５参照）。したがって、レンズ３の射出面３２（自由曲面）の全域が上記のような構成（射出光の射出角θが前記レンズの中心部から端部に向かうに連れてｎ次連続的に増加する構成）である必要はない。このような部分では、射出光がレンズ３の光軸Ｚに略平行に照射される。
【００３５】
例えば、ヘッドランプのハイビーム用配光パターンでは、射出光の射出角θがレンズ３の中心部から鉛直方向下側の範囲にてレンズ３の光軸Ｚに略平行（θ＝０）に設定される（図５参照）。かかる構成では、照射範囲の略中央部（Ｈ−Ｖ点付近）から鉛直方向下側（Ｖ軸方向下側）の範囲にて照射光がさほど拡散されずに照射される（図６参照）。これにより、車両走行時にて走行車線の路面が適正に照らされて、その視認性が向上する利点がある。
【００３６】
また、この車両用灯具１では、ヘッドランプのハイビーム用配光パターンにて、鉛直方向への光度減衰の拡散配光角が水平方向への光度減衰の拡散配光角よりも小さいことが好ましい（図６参照）。すなわち、鉛直方向上側への拡散配光範囲が水平方向への拡散配光範囲よりも幅狭に設定されており、照射光の光度減衰が急になっている。かかる構成では、照射範囲の略中央部（Ｈ−Ｖ点付近）に最大光度域が形成され、且つ、ロービーム用配光パターンとの合成に適したハイビーム用配光パターンが得られる利点がある。
【００３７】
［付加的事項］
また、この車両用灯具１では、レンズ３の射出面３２（自由曲面）が、レンズ３の中心部（光軸Ｚとの交点）を原点として回転方向および放射方向にパラメトリックに変化する曲面により構成されることが好ましい（図１０参照）。かかる構成では、車両用灯具に適した配光パターンの設計が容易となり、また、その設計自由度が拡大される利点がある。また、射出光の射出角θをｎ次連続的に変化させる自由曲面の設計が容易となる利点がある。例えば、円錐曲面あるいは円錐曲面に高次の非球面項を加えた数式で表されるレンズ（例えば、シリンドリカルレンズや非球面レンズ）では、上記のような射出角θの設定が困難である。
【００３８】
また、この車両用灯具１では、レンズ３の入射面３１が平面、単一径（球面）から成る凸面あるいは凹面、その他の単純形状により構成されることが好ましい。かかる構成では、単純形状を有する入射面３１を基準として射出面３２（自由曲面）が設計されるので、射出面３２の設計が容易となる利点がある。例えば、この実施例では、レンズ３の入射面３１が平面により構成されている（図１〜図３参照）。
【００３９】
しかし、これに限らず、レンズ３の入射面３１が自由曲面により構成されても良い。すなわち、レンズ３の入射面３１および射出面３２の双方が自由曲面により構成される。これにより、精度の高い拡散配光制御が可能となる利点がある。
【００４０】
［レンズの設計例］
例えば、灯具の拡散配光制御では、以下のようにレンズ３が設計される（図１〜図１８参照）。ここでは、ヘッドランプのハイビーム用配光パターン（図６参照）を一例として説明する。
【００４１】
まず、光源２として矩形状のＬＥＤチップが採用される（図１〜図３参照）。この光源２では、放射光の放射強度分布がランバーシアンカーブに略一致する。また、ＬＥＤチップの中心点がレンズ３の擬似バックフォーカス点Ｆに一致し、且つ、ＬＥＤチップの法線方向が光軸Ｚに平行となるように、光源２が配置される。また、レンズ３の入射面３１が平面で構成され、この入射面３１には、基準点Ｏを中心として回転方向（ｕ方向）および放射方向（ｗ方向）の二方向にパラメータを持つパッチが設定される（図７参照）。なお、レンズ３の入射面３１が単一径の球面から成る凸面あるいは凹面により構成される場合にも、同様の設定が行われる。また、パッチの間隔は、任意に設定され得る。
【００４２】
次に、レンズ３の水平断面視（ＸＺ断面視）にて、擬似バックフォーカス点Ｆから入射面３１のパッチの各ノード点Ｐ（ｕ，ｗ）に任意の波長（例えば、６５６［ｎｍ］）の単色光を入射させて、光路追跡が行われる（図８参照）。次に、拡散配光制御を施す範囲が設定され、この範囲の境界に対応するノード点Ｐ（拡散開始点Ｐ0（基準点０）および拡散終了点Ｐ1）が選択される（図９参照）。そして、このノード点Ｐ0、Ｐ1の入射光が光軸Ｚを中心として所定の拡散配光角にてレンズ３の径方向外側に広がるように、射出面３２での射出角θが設定される。具体的には、光軸Ｚ上にあるノード点Ｐ0の入射光が光軸Ｚに対して平行な射出角θ＝０にて射出し、また、拡散配光制御の範囲の外側端部にあるノード点Ｐ1の入射光がレンズ３の径方向外側に所定の射出角θ＝θ1にて射出するように、レンズ３の射出面３２が設定される。
【００４３】
次に、拡散配光制御を施す範囲内（拡散開始点Ｐ0から拡散終了点Ｐ1の間）にある各ノード点Ｐの入射光について、その射出光の射出角θが設定される（図４参照）。このとき、拡散開始点Ｐ0の入射光に対する射出角θ＝０と拡散終了点Ｐ1の入射光に対する射出角θ＝θ1とを基準として、各射出光の射出角θが設定される。具体的には、基準点Ｏを中心とする放射方向（拡散開始点Ｐ0から拡散終了点Ｐ1に向かう方向。ｗ方向。）に向かうに連れて射出角θが増加するように、ｎ次関数による補間が行われて各射出光の射出角θが設定される。そして、設定された各射出角θに従って、入射面３１のノード点群に対する射出面３２のノード点群が設定される。
【００４４】
なお、この実施例では、レンズ３の水平断面視にて、拡散終了点Ｐ1の入射光に対する射出光の射出角θ1がθ1＝１０［ｄｅｇ］に設定される。そして、拡散開始点Ｐ0から拡散終了点Ｐ1に至る各射出光の射出角θが１．１次関数により補間される。また、レンズ３の水平断面視にて、右側方向（第１、２象限）のノード点群と左側方向（第３、４象限）のノード点群とが光軸Ｚを中心として対称となるように、射出面３２の各ノード点が設定される。
【００４５】
次に、レンズ３の鉛直断面視（ＸＺ断面視）にて、水平断面視（ＸＺ断面視）のときと同様の処理が行われて、入射面３１のノード点群に対する射出面３２のノード点群が決定される（図５参照）。例えば、拡散配光制御を施す範囲のうち鉛直方向上側の範囲（第１、２象限）の境界点を拡散終了点Ｐ2とし、鉛直方向下側の範囲（第３、４象限）の境界点を拡散終了点Ｐ3とする。このとき、鉛直方向上側の範囲では、拡散終了点Ｐ2の入射光に対する射出光の射出角θ2がθ2＝４［ｄｅｇ］に設定され、拡散開始点Ｐ0から拡散終了点Ｐ2に至る各射出光の射出角θが１．４次関数により補間される。一方、鉛直方向下側の範囲では、拡散終了点Ｐ3の入射光に対する射出光の射出角θ3がθ3＝０［ｄｅｇ］に設定され、射出光の射出角θがθ＝０のまま一定（光軸Ｚに平行）に維持される（１．０次関数による補間）。
【００４６】
次に、レンズ３の正面視（ＸＹ平面視）にて、レンズ３の水平断面（ＸＺ断面）と鉛直断面（ＸＺ断面）との間の範囲における射出面３２のノード点群が決定される（図１０参照）。このとき、水平断面のノード点群の射出角θと鉛直断面のノード点群の射出角θとに基づき、基準点Ｏを中心とする回転方向（ｕ方向）にｎ次関数による補間が行われて、射出面３２全域の射出角θが設定される（図１１参照）。そして、この射出角θにて射出光が射出するように、射出面３２のノード点群が設定される（図１０および図１参照）。
【００４７】
次に、設定された全てのノード点を通るように射出面３２の自由曲面が形成される。このとき、任意に設定された階数および制御点数によりＮＵＲＢＳ曲面化が行われる（図１２参照）。これにより、射出光の射出角θが光軸Ｚを中心として回転方向（ｕ方向）および放射方向（ｗ方向）にパラメトリックに変化するような、自由曲面が形成される。
【００４８】
図１３〜図１８には、上記のレンズ３を介してスクリーンに映し出された光源２の像（射出チップ像）が示されている。これらの図では、鉛直方向上側かつ水平方向左側の範囲（第２象限）における光源２の像が図１３〜図１５に示され、鉛直方向下側かつ水平方向左側の範囲（第３象限）における光源２の像が図１６〜図１８に示されている。また、Ｖ軸が鉛直方向を示し、Ｈ軸が水平方向を示している。
【００４９】
なお、鉛直方向上側かつ水平方向右側の範囲（第１象限）における光源２の像は、鉛直方向上側かつ水平方向左側の範囲（第２象限）における光源２の像に対してＶ軸対称であり（図１３〜図１５参照）、また、鉛直方向下側かつ水平方向右側の範囲（第４象限）における光源２の像は、鉛直方向下側かつ水平方向左側の範囲（第３象限）における光源２の像に対してＶ軸対称である（図１６〜図１８参照）。
【００５０】
図１３〜図１５に示すように、鉛直方向上側の範囲では、射出面３２の射出角θがレンズ３の中心から水平方向の端部に向かうに連れて増加するため（図４参照）、スクリーンに映し出された光源２の像が水平方向に向かうに連れて拡散されることが分かる。また、射出面３２の射出角θがレンズ３の中心から鉛直方向上側の端部に向かうに連れて増加するため（図５参照）、スクリーンに映し出された光源２の像が鉛直方向上側に向かうに連れて拡散されることが分かる。
【００５１】
また、図１６〜図１８に示すように、鉛直方向下側の範囲では、鉛直方向上側の範囲と同様に、スクリーンに映し出された光源２の像が水平方向に向かうに連れて拡散されることが分かる。また、鉛直方向については、射出面３２の射出角θが光軸Ｚに対して平行に設定されるため、光源２の像が鉛直方向に拡散されることなくスクリーンに映し出されている。
【００５２】
かかるレンズ３による配光パターンでは、中央部（ＨＶ点付近）にて最大高度帯をもつ高光度帯が維持される（図６参照）。また、照射光が光軸Ｚを中心として水平方向に滑らかに光度を減衰させつつ拡散され、また、鉛直方向上方にも（水平方向ほどではない角度で）滑らかに光度を減衰させつつ拡散される。一方、鉛直方向下方では、ロービームとの合成との関係から、拡散配光が抑制される。これにより、水平方向に幅広な照射範囲を有し、且つ、滑らかに光度を減衰させる配光パターンが形成されている。
【産業上の利用可能性】
【００５３】
以上のように、本発明にかかる車両用灯具は、拡散配光制御を精度良く行い得る点で有用である。
【図面の簡単な説明】
【００５４】
【図１】この発明の実施例にかかる車両用灯具を示す斜視図である。
【図２】この発明の実施例にかかる車両用灯具を示す平面図である。
【図３】この発明の実施例にかかる車両用灯具を示す側面図である。
【図４】図１に記載した車両用灯具の作用を示す説明図である。
【図５】図１に記載した車両用灯具の作用を示す説明図である。
【図６】図１に記載した車両用灯具の作用を示す説明図である。
【図７】図１に記載した車両用灯具のレンズの設計方法を示す説明図である。
【図８】図１に記載した車両用灯具のレンズの設計方法を示す説明図である。
【図９】図１に記載した車両用灯具のレンズの設計方法を示す説明図である。
【図１０】図１に記載した車両用灯具のレンズの設計方法を示す説明図である。
【図１１】図１に記載した車両用灯具のレンズの設計方法を示す説明図である。
【図１２】図１に記載した車両用灯具のレンズの設計方法を示す説明図である。
【図１３−１】図１に記載した車両用灯具のレンズの設計方法を示す説明図である。
【図１３−２】図１に記載した車両用灯具のレンズの設計方法を示す説明図である。
【図１３−３】図１に記載した車両用灯具のレンズの設計方法を示す説明図である。
【図１４−１】図１に記載した車両用灯具のレンズの設計方法を示す説明図である。
【図１４−２】図１に記載した車両用灯具のレンズの設計方法を示す説明図である。
【図１４−３】図１に記載した車両用灯具のレンズの設計方法を示す説明図である。
【図１５−１】図１に記載した車両用灯具のレンズの設計方法を示す説明図である。
【図１５−２】図１に記載した車両用灯具のレンズの設計方法を示す説明図である。
【図１５−３】図１に記載した車両用灯具のレンズの設計方法を示す説明図である。
【図１６−１】図１に記載した車両用灯具のレンズの設計方法を示す説明図である。
【図１６−２】図１に記載した車両用灯具のレンズの設計方法を示す説明図である。
【図１６−３】図１に記載した車両用灯具のレンズの設計方法を示す説明図である。
【図１７−１】図１に記載した車両用灯具のレンズの設計方法を示す説明図である。
【図１７−２】図１に記載した車両用灯具のレンズの設計方法を示す説明図である。
【図１７−３】図１に記載した車両用灯具のレンズの設計方法を示す説明図である。
【図１８−１】図１に記載した車両用灯具のレンズの設計方法を示す説明図である。
【図１８−２】図１に記載した車両用灯具のレンズの設計方法を示す説明図である。
【図１８−３】図１に記載した車両用灯具のレンズの設計方法を示す説明図である。
【符号の説明】
【００５５】
１    車両用灯具
２    光源
３    レンズ
３１  入射面
３２  射出面
【図１】
2008226558.tif 000003
【図２】
2008226558.tif 000004
【図３】
2008226558.tif 000005
【図４】
2008226558.tif 000006
【図５】
2008226558.tif 000007
【図６】
2008226558.tif 000008
【図７】
2008226558.tif 000009
【図８】
2008226558.tif 000010
【図９】
2008226558.tif 000011
【図１０】
2008226558.tif 000012
【図１１】
2008226558.tif 000013
【図１２】
2008226558.tif 000014
【図１３−１】
2008226558.tif 000015
【図１３−２】
2008226558.tif 000016
【図１３−３】
2008226558.tif 000017
【図１４−１】
2008226558.tif 000018
【図１４−２】
2008226558.tif 000019
【図１４−３】
2008226558.tif 000020
【図１５−１】
2008226558.tif 000021
【図１５−２】
2008226558.tif 000022
【図１５−３】
2008226558.tif 000023
【図１６−１】
2008226558.tif 000024
【図１６−２】
2008226558.tif 000025
【図１６−３】
2008226558.tif 000026
【図１７−１】
2008226558.tif 000027
【図１７−２】
2008226558.tif 000028
【図１７−３】
2008226558.tif 000029
【図１８−１】
2008226558.tif 000030
【図１８−２】
2008226558.tif 000031
【図１８−３】
2008226558.tif 000032